【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
印刷画像データと地紋画像データとを合成する画像処理装置であって、
前記印刷画像データと前記地紋画像データそれぞれのトナー載り量を取得する載り量取得手段と、
前記印刷画像データと前記地紋画像データのトナー載り量の和が所定の量を超えるか否かを判定する判定手段と、
前記判定手段により当該トナー載り量の和が前記所定の量を超えると判定された場合、トナー載り量の和が前記所定の量を超えないように、前記印刷画像データのトナー載り量を制限する載り量制御手段と、
前記判定手段により当該トナー載り量の和が前記所定の量を超えると判定された場合、前記載り量制御手段によってトナー載り量が制限された印刷画像データと前記地紋画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段と
を有することを特徴とする画像処理装置。
【請求項２】
前記載り量制御手段は、前記トナー載り量の和が前記所定の量を超えた量を、前記印刷画像データのトナー載り量から低減する処理を行うことを特徴とする請求項１に記載の画像処理装置。
【請求項３】
前記載り量取得手段は、前記印刷画像データの画素毎にＣＭＹＫ色成分の総和を取得し、前記印刷画像データのトナー載り量は前記印刷画像データにおける画素毎の総和の最大値であることを特徴とする請求項１または２に記載の画像処理装置。
【請求項４】
前記載り量取得手段は、操作部から入力された地紋の潜像部と背景部それぞれの濃度と色から、前記地紋画像データのトナー載り量を取得することを特徴とする請求項１または２に記載の画像処理装置。 
【請求項５】
前記載り量制御手段は、前記地紋画像データを構成している特定の色に対して、前記印刷画像データのトナー載り量を制御することを特徴とする請求項１に記載の画像処理装置。
【請求項６】
前記載り量取得手段は、当該地紋画像データが付加される領域において前記印刷画像データのトナー載り量を取得し、
前記載り量制御手段は、当該地紋画像データが付加される領域において前記印刷画像データに対してトナー載り量制御を行う
ことを特徴とする請求項１に記載の画像処理装置。
【請求項７】
地紋印刷時に地紋画像の色として指定された特定色に対して、前記載り量取得手段で取得された地紋画像データのトナー載り量を元に、γ補正処理を施すために用いる変換値を生成する生成手段と、
前記生成手段において生成された変換値を用いて、印刷画像データの前記特定色に対してγ補正処理を施す処理手段と
を更に有し、
前記判定手段は、前記処理手段によってγ補正処理が施された印刷画像データと前記地紋画像データとを合成した場合に当該それぞれのトナー載り量の和が前記所定の量を超えるか否かを判定し、
前記載り量制御手段は、前記トナー載り量の和が前記所定の量を超えると判定された場合、合成後のトナー載り量が前記所定の量を超えないように、前記特定色に対してγ補正処理が施された前記印刷画像データのトナー載り量を制限することを特徴とする請求項１に記載の画像処理装置。
【請求項８】
印刷画像データと当該印刷画像データに合成するための合成画像データとからなる合成印刷画像データを生成する画像処理装置であって、
前記印刷画像データに対して、当該合成画像データが占める割合を算出する割合算出手段と、
前記割合算出手段により算出した、前記印刷画像データに対し当該合成画像データが占める割合を閾値と比較する比較手段と、
を有し、
前記比較手段による比較の結果、当該印刷画像データに対し当該合成画像データが占める割合が閾値以上であると判定された場合、更に載り量制御合成手段による処理を適用し、
前記載り量制御合成手段は、
前記印刷画像データと前記合成画像データそれぞれのトナー載り量を取得する載り量取得手段と、
前記印刷画像データと前記合成画像データとを合成した場合に当該それぞれのトナー載り量の和が所定の量を超えるか否かを判定する判定手段と、
前記判定手段により当該トナー載り量の和が前記所定の量を超えると判定された場合、合成後のトナー載り量が前記所定の量を超えないように前記印刷画像データのトナー載り量を制限する載り量制御手段と、
前記判定手段により当該トナー載り量の和が前記所定の量を超えると判定された場合、前記載り量制御手段によりトナー載り量が制限された印刷画像データと前記合成画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段と
を備えることを特徴とする画像処理装置。
【請求項９】
前記比較手段による比較の結果、前記印刷画像データに対し当該合成画像データが占める割合が閾値よりも小さいと判定された場合、当該合成画像データが付加される領域に対して、当該印刷画像データの色情報を削除し当該合成画像データに置き換える置き換え合成手段による処理を適用することを特徴とする請求項８に記載の画像処理装置。
【請求項１０】
印刷画像データと地紋画像データとを合成する画像処理方法であって、
載り量取得手段が、前記印刷画像データと前記地紋画像データそれぞれのトナー載り量を取得する載り量取得工程と、
判定手段が、前記印刷画像データと前記地紋画像データのトナー載り量の和が所定の量を超えるか否かを判定する判定工程と、
載り量制御手段が、前記判定工程により当該トナー載り量の和が前記所定の量を超えると判定された場合、トナー載り量の和が前記所定の量を超えないように、前記印刷画像データのトナー載り量を制限する載り量制御工程と、
合成手段が、前記判定工程にて当該トナー載り量の和が前記所定の量を超えると判定された場合、前記載り量制御工程によりトナー載り量が制限された印刷画像データと前記地紋画像データとの合成を行い、前記判定工程にて当該トナー載り量の和が前記所定の量を超えないと判定された場合、前記載り量制御工程によりトナー載り量が制限されていない印刷画像データと前記地紋画像データとの合成を行う合成工程と
を有することを特徴とする画像処理方法。
【請求項１１】
印刷画像データと当該印刷画像データに合成するための合成画像データとからなる合成印刷画像データを生成する画像処理方法であって、
割合算出手段が、前記印刷画像データに対して、当該合成画像データが占める割合を算出する割合算出工程と、
比較手段が、前記割合算出工程により算出した、前記印刷画像データに対し当該合成画像データが占める割合を閾値と比較する比較工程と、
を有し、
前記比較工程による比較の結果、当該印刷画像データに対し当該合成画像データが占める割合が閾値以上であると判定された場合、更に載り量制御合成工程による処理を適用し、
前記載り量制御合成工程は、
載り量取得手段が、前記印刷画像データと前記合成画像データそれぞれのトナー載り量を取得する載り量取得工程と、
判定手段が、前記印刷画像データと前記合成画像データとを合成した場合に当該それぞれのトナー載り量の和が所定の量を超えるか否かを判定する判定工程と、
載り量制御手段が、前記判定工程により当該トナー載り量の和が前記所定の量を超えると判定された場合、合成後のトナー載り量が前記所定の量を超えないように前記印刷画像データのトナー載り量を制限する載り量制御工程と、
合成手段が、前記判定工程にて当該トナー載り量の和が前記所定の量を超えると判定された場合、前記載り量制御工程によりトナー載り量が制限された印刷画像データと前記合成画像データとの合成を行い、前記判定工程にて当該トナー載り量の和が前記所定の量を超えないと判定された場合、前記載り量制御工程によりトナー載り量が制限されていない印刷画像データと前記地紋画像データとの合成を行う合成工程と
を有することを特徴とする画像処理方法。
【請求項１２】
コンピュータを、
印刷画像データと地紋画像データそれぞれのトナー載り量を取得する載り量取得手段、
前記印刷画像データと前記地紋画像データのトナー載り量の和が所定の量を超えるか否かを判定する判定手段、
前記判定手段により当該トナー載り量の和が前記所定の量を超えると判定された場合、トナー載り量の和が前記所定の量を超えないように、前記印刷画像データのトナー載り量を制限する載り量制御手段、
前記判定手段により当該トナー載り量の和が前記所定の量を超えると判定された場合、前記載り量制御手段によってトナー載り量が制限された印刷画像データと前記地紋画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段
として機能させるためのプログラム。
【請求項１３】
コンピュータを、
印刷画像データに対して、合成画像データが占める割合を算出する割合算出手段、
前記割合算出手段により算出した、前記印刷画像データに対し当該合成画像データが占める割合を閾値と比較する比較手段、
として機能させ、
前記比較手段による比較の結果、当該印刷画像データに対し当該合成画像データが占める割合が閾値以上であると判定された場合、更に載り量制御合成手段を適用するように機能させ、
前記載り量制御合成手段は、
前記印刷画像データと前記合成画像データそれぞれのトナー載り量を取得する載り量取得手段、
前記印刷画像データと前記合成画像データとを合成した場合に当該それぞれのトナー載り量の和が所定の量を超えるか否かを判定する判定手段、
前記判定手段により当該トナー載り量の和が前記所定の量を超えると判定された場合、合成後のトナー載り量が前記所定の量を超えないように前記印刷画像データのトナー載り量を制限する載り量制御手段、
前記判定手段により当該トナー載り量の和が前記所定の量を超えると判定された場合、前記載り量制御手段によりトナー載り量が制限された印刷画像データと前記合成画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段
として機能することを特徴とするプログラム。 
【手続補正２】
【補正対象書類名】明細書
【補正対象項目名】０００７
【補正方法】変更
【補正の内容】
【０００７】
上記目的を達成するために、本発明に係る画像処理装置は、主として以下の構成を備えることを特徴とする。すなわち、印刷画像データと地紋画像データとを合成する画像処理装置であって、前記印刷画像データと前記地紋画像データそれぞれのトナー載り量を取得する載り量取得手段と、前記印刷画像データと前記地紋画像データのトナー載り量の和が所定の量を超えるか否かを判定する判定手段と、前記判定手段により当該トナー載り量の和が前記所定の量を超えると判定された場合、トナー載り量の和が前記所定の量を超えないように、前記印刷画像データのトナー載り量を制限する載り量制御手段と、前記判定手段により当該トナー載り量の和が前記所定の量を超えると判定された場合、前記載り量制御手段によってトナー載り量が制限された印刷画像データと前記地紋画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段とを有する。
【手続補正３】
【補正対象書類名】明細書
【補正対象項目名】０００８
【補正方法】変更
【補正の内容】
【０００８】
また、異なる構成として、本発明に係る画像処理装置は、以下の構成を有することを特徴とする。すなわち、印刷画像データと当該印刷画像データに合成するための合成画像データとからなる合成印刷画像データを生成する画像処理装置であって、前記印刷画像データに対して、当該合成画像データが占める割合を算出する割合算出手段と、前記割合算出手段により算出した、前記印刷画像データに対し当該合成画像データが占める割合を閾値と比較する比較手段と、を有し、前記比較手段による比較の結果、当該印刷画像データに対し当該合成画像データが占める割合が閾値以上であると判定された場合、更に載り量制御合成手段による処理を適用し、前記載り量制御合成手段は、前記印刷画像データと前記合成画像データそれぞれのトナー載り量を取得する載り量取得手段と、前記印刷画像データと前記合成画像データとを合成した場合に当該それぞれのトナー載り量の和が所定の量を超えるか否かを判定する判定手段と、前記判定手段により当該トナー載り量の和が前記所定の量を超えると判定された場合、合成後のトナー載り量が前記所定の量を超えないように前記印刷画像データのトナー載り量を制限する載り量制御手段と、前記判定手段により当該トナー載り量の和が前記所定の量を超えると判定された場合、前記載り量制御手段によりトナー載り量が制限された印刷画像データと前記合成画像データとの合成を行い、前記判定手段により当該トナー載り量の和が前記所定の量を超えないと判定された場合、前記載り量制御手段によってトナー載り量が制限されていない印刷画像データと前記地紋画像データとの合成を行う合成手段とを備える。